(57)【要約】【課題】 沈香葉枕具構造を提供する。【解決手段】  枕及び枕用途のクッション等物品に適用する。該枕具は中空通気袋体状を呈する枕袋を備え、該枕袋内部には収納空間を備える。多数の沈香葉材料は沈香の香りを発し、該枕袋の収納空間内の少なくとも局部或いは全部に多数の沈香葉材料を設置する。該沈香葉材料は沈香葉、沈香葉ロール或いは沈香葉収縮体とすることができ、人体の頭部を快適に載せることができる。しかも沈香葉材料が発散する沈香の香りを利用し、人体の精神症的症状及びアレルギー体質を緩和し、呼吸をスムーズにすることで、睡眠の質を高めることができる。【選択図】  図２
0003141368.tif 000002
【実用新案登録請求の範囲】
【請求項１】
沈香葉(Aquilaria Malaccensis)枕具構造は、中空通気袋体状を呈する枕袋、多数の沈香葉材料を備え、
該枕袋内部には収納空間を備え、
該多数の沈香葉材料は沈香の香りを発し、該枕袋の収納空間内の少なくとも局部に多数の沈香葉材料を設置することを特徴とする沈香葉枕具構造。
【請求項２】
前記沈香葉材料は沈香葉であることを特徴とする請求項１記載の沈香葉枕具構造。
【請求項３】
前記沈香葉は中空状沈香葉ロールとすることを特徴とする請求項２記載の沈香葉枕具構造。
【請求項４】
前記沈香葉ロールは連続しカールした多数のリング部を備えることを特徴とする請求項３記載の沈香葉枕具構造。
【請求項５】
前記沈香葉枕具構造の一部の沈香葉ロールは相互に交差し重なり、しかも貫通した連結線材を共同で設置することを特徴とする請求項４記載の沈香葉枕具構造。
【請求項６】
前記沈香葉は不規則な沈香葉収縮体とすることを特徴とする請求項２記載の沈香葉枕具構造。
【請求項７】
前記沈香葉材料は該枕袋の収納空間に一杯に充填することを特徴とする請求項１、２、３或いは６の何れかに記載の沈香葉枕具構造。
【請求項８】
前記枕袋の外周は中空通気袋体状の枕カバーで包覆することを特徴とする請求項１記載の沈香葉枕具構造。
【考案の詳細な説明】
【技術分野】
【０００１】
本考案は沈香(Aquilaria Malaccensis)葉枕具構造に関する。特に人体の頭部を載せて使用する沈香葉枕具構造に係る。
【背景技術】
【０００２】
寝具の種類は非常に多いが、使用者の睡眠の質を高めるために枕及び枕用途のクッション、マットレス、掛け布団及びベッドカバー等は最も重要である。
一般に枕及び枕用途のクッションの材質には樹脂スポンジ、スポンジ、化学繊維、動物羽毛、天然繊維等の種類があり、人体の頭部を載せて使用する。
しかし、これら樹脂スポンジ、スポンジ、化学繊維、動物羽毛、天然繊維材質の枕及び枕用途のクッション設計は、弾性サポート作用を提供することができるだけで、人体の健康や体質を改善することはできない。
現在の樹脂スポンジ材質の枕及び枕用途のクッション内部には香草類植物を加え、芳香を発するものもある。しかし、この種の香草類植物の効果には限界があり、人体に質の高い睡眠を提供することには役立たないため、さらなる改良が必要である。
【特許文献１】特開２００３−３９６号公報
【考案の開示】
【考案が解決しようとする課題】
【０００３】
本考案が解決しようとする課題は、枕及び枕用途のクッション等物品に適用し、沈香葉、沈香葉ロール或いは沈香葉収縮体を結合し、人体の頭部を快適に載せることができ、しかも沈香葉材料が発散する沈香の香りを利用し、人体の精神症的症状及びアレルギー体質を緩和し、呼吸をスムーズにすることで、睡眠の質を高めることができ、健康保持効果を達成する沈香葉枕具構造を提供することである。
【課題を解決するための手段】
【０００４】
上記課題を解決するため、本考案は下記の沈香葉枕具構造を提供する。
中空通気袋体状を呈する枕袋を含み、該枕袋内部には収納空間を備え、
多数の沈香葉材料は沈香の香りを発し、該枕袋の収納空間内の少なくとも局部には多数の沈香葉材料を設置し、
最適実施例中では、該沈香葉材料は沈香葉、沈香葉ロール或いは沈香葉収縮体とすることができ、
上記沈香葉ロールは連続しカールした多数のリング部を備え、
上記多数の沈香葉ロールは相互に交差し重なり、しかも貫通した連結線材を共同で設置し、
別種の最適実施例中では、該沈香葉材料は該枕袋の収納空間に一杯に充填し、該枕袋外周は中空通気袋体状の枕カバーで包覆することができる。
【考案の効果】
【０００５】
上記のように、本考案沈香葉枕具は主に沈香葉、沈香葉ロール或いは沈香葉収縮体を結合し、人体の頭部を快適に載せることができる。しかも沈香葉材料が発散する沈香の香りを利用し、人体の精神症的症状及びアレルギー体質を緩和し、呼吸をスムーズにすることで、睡眠の質を高めることができる。
【考案を実施するための最良の形態】
【０００６】
本考案が上記目的を達成するために採用する技術手段及び効果について、実施例に図式を合わせ以下に説明する。
先ず、図１及び２に示すように、本考案沈香葉枕具１０は枕及び枕用途のクッション等物品に適用し、枕具１０には人体頭部を載せて使用し、睡眠の質を高めることができる。
図に示すように、本考案枕具１０は枕袋１１及びその内部の多数の沈香葉材料２０により組成する。しかも該枕袋１１外周は中空通気袋体状の枕カバー１２で覆うことができ、人体頭部を載せての使用に適している。
該枕袋１１及び枕カバー１２は通気性を備える布をミシンで縫製し構成する。しかも可動開閉式開口部或いは封鎖口を設置することができる。
図２、３、４に示す最適実施例中では、本考案枕具１０の枕袋１１は同じく中空通気袋体状を呈し、該枕袋１１内部には収納空間を備える。多数の沈香葉材料２０はそれぞれ平面或いは非平面体に設置し、しかも沈香の香りを発する。
該枕袋１１の収納空間内の少なくとも局部或いは全部には多数の沈香葉材料２０を設置し、人体の頭部を載せて使用する。
この最適実施例中では、該枕具１０内部の沈香葉材料２０は沈香葉２１を採用し、しかも天然植物である沈香樹そのものの樹葉を使用する。特に図４に示す沈香葉２１及びその葉脈２４は予め葉柄を切除し、さらに図２及び３に示す沈香葉ロール２２とすることもできる。
【０００７】
図３、４に示すように、沈香樹の沈香葉２１は１枚でカールさせ、または図５に示すように、２枚を相互に重ねる方式でカールさせ、図２及び３に示す沈香葉ロール２２とすることができる。次に適度に自然乾燥或いは人工乾燥させ定型し、こうして該沈香葉ロール２２は連続しカールした多数のリング部２６を備え、しかも該沈香葉２１の先端２５は外表面に位置する。
本実施例の沈香葉ロール２２は、連続カールした該リング部２６により弾性緩衝構造を形成し、しかも通気性を備え、こうして該多数の沈香葉ロール２２は自由状態で隨意に該枕袋１１内に充填され、人体の頭部を快適に載せることができる。しかも該沈香葉材料２０が発する沈香の香りを利用し、人体の精神症的症状及びアレルギー体質を緩和し、呼吸をスムーズにすることで、睡眠の質を高めることができる。
この他、図６に示すように、該多数の沈香葉ロール２２を相互に交差させ重ね、しかも相互間を貫通する連結線材２７を共同で設置し、充填用の組合せユニットを構成する。
該枕具１０の沈香葉材料２０は沈香葉２１及び沈香葉ロール２２を使用する他、直接該沈香葉２１を図７に示すように、１枚或いは多数の葉を不規則に沈香葉収縮体２３とし、しかも加熱収縮させ体積を小さくし、充填材料とすることもできる。
上記実施例は説明の便のために用いるもので、本考案を制限するものではない。本考案の精神を離脱せずに該項技術の習熟者が行う各種の簡易変化と修飾もすべて実用新案の申請範囲に含まれるものとする。
【図面の簡単な説明】
【０００８】
【図１】本考案最適実施例沈香葉枕具の立体図である。
【図２】図１の断面図である。
【図３】図２の沈香葉ロールの立体図である。
【図４】図３の沈香葉の展開図である。
【図５】図３において２枚の葉を丸める指示図である。
【図６】図３の多数の沈香葉ロールが連結し組み合わされる立体図である。
【図７】本考案別種の最適実施例沈香葉収縮体の拡大図である。
【符号の説明】
【０００９】
１０  枕具
１１  枕袋
１２  枕カバー
２０  沈香葉材料
２１  沈香葉
２２  沈香葉ロール
２３  沈香葉収縮体
２４  葉脈
２５  先端
２６  リング部
２７  線材
【図１】
0003141368.tif 000003
【図２】
0003141368.tif 000004
【図３】
0003141368.tif 000005
【図４】
0003141368.tif 000006
【図５】
0003141368.tif 000007
【図６】
0003141368.tif 000008
【図７】
0003141368.tif 000009